(57)【要約】【課題】  既製の照明装置に容易に取り付けることができ、かつ光放射部の放熱を確実に行うことができる放熱装置を提供する。【解決手段】  撮影用の照明光を発する照明装置２０の光放射部の放熱を行う放熱装置２であって、送風機が収容される筐体８と、前記筐体８に設けられた吸気口と、前記筐体８に設けられ、前記光放射部の周囲の何れかの位置に配置され、前記光放射部に設けられる光学部材２２の外面に対して前記送風機から送風される空気を吹き出す吹出口１９とを備える。【選択図】  図３
2010186640.tif 000002
【特許請求の範囲】
【請求項１】
撮影用の照明光を発する照明装置の光放射部の放熱を行う放熱装置であって、
送風機が収容される筐体と、
前記筐体に設けられた吸気口と、
前記筐体に設けられ、前記光放射部の周囲の何れかの位置に配置され、前記光放射部に設けられる光学部材の外面に対して前記送風機から送風される空気を吹き出す吹出口と、
を備えることを特徴とする放熱装置。
【請求項２】
前記光放射部からの光を検出する光検出部と、
前記光検出部による検出結果に基づいて、前記送風機の動作を制御する第１制御部と、
を備えることを特徴とする請求項１記載の放熱装置。
【請求項３】
前記照明装置の温度を検出する温度検出部と、
前記温度検出部による検出結果に基づいて、前記送風機の動作を制御する第２制御部と、
を備えることを特徴とする請求項１または請求項２記載の放熱装置。
【請求項４】
前記照明装置に対して前記筐体を着脱する着脱部材を備えることを特徴とする請求項１乃至請求項３の何れか一項に記載の放熱装置。
【請求項５】
前記照明装置に対する前記吹出口の位置を決定する位置決め部を備えることを特徴とする請求項１乃至請求項４の何れか一項に記載の放熱装置。
【請求項６】
前記筐体が前記照明装置に対して一体に構成されていることを特徴とする請求項１乃至請求項３の何れか一項に記載の放熱装置。
【請求項７】
請求項１乃至請求項６の何れか一項に記載の放熱装置と、
前記照明装置の前記光放射部に設けられた前記光学部材の外面に形成され、前記吹出口から吹き出す前記空気の流れを乱す突起部と、
を備えることを特徴とする放熱ユニット。
【請求項８】
前記突起部は、前記吹出口から吹き出す前記空気の流れる方向と交差する方向に延びる少なくとも１つの突起を有することを特徴とする請求項７記載の放熱ユニット。
【請求項９】
前記光学部材は矩形状を有し、
前記突起部は、前記光学部材の交差する２辺に対して斜め方向に延びる少なくとも１つの前記突起を有することを特徴とする請求項８記載の放熱ユニット。
【請求項１０】
撮影用の照明光を発する照明装置であって、請求項７乃至請求項９の何れか一項に記載の放熱ユニットを備えることを特徴とする照明装置。
【発明の詳細な説明】
【技術分野】
【０００１】
本発明は、照明装置の光放射部の放熱を行う放熱装置、放熱ユニット及び該放熱ユニットを備えた照明装置に関するものである。
【背景技術】
【０００２】
デジタルカメラ等により連続撮影する際に撮影用の照明光を発する照明装置を用いて連続発光を行った場合、照明装置からの発熱により照明装置の温度が上昇するため、照明装置の光放射部に設けられているフレネルパネルが変形または溶解するおそれがある。そこで、筐体内に収容された光源としての閃光放電管と、筐体の開口部に配置されているフレネルパネルとの間に空間を設け、この空間に筐体外からファンを用いて空気を送入出することにより、閃光放電管からの発熱によるフレネルパネルの温度上昇を防止する照明装置が提案されている（例えば、特許文献１参照）。
【先行技術文献】
【特許文献】
【０００３】
【特許文献１】特開２００７−１９２９７１号公報
【発明の概要】
【発明が解決しようとする課題】
【０００４】
しかしながら、特許文献１記載の放熱装置においては、放熱装置の一部であるファンが着脱可能に構成されているが、空気の送入出を行うための空間及び通気口等を照明装置に設ける必要があり、これらが設けられていない照明装置に適用することができなかった。
【０００５】
本発明の目的は、既製の照明装置に容易に取り付けることができ、かつ光放射部の放熱を確実に行うことができる放熱装置、放熱ユニット及び該放熱ユニットを備えた照明装置を提供することである。
【課題を解決するための手段】
【０００６】
本発明は以下のような解決手段により上記課題を解決する。なお、理解を容易にするために、本発明の実施の形態に対応する符号を付して説明するが、本発明はこれに限定されるものではない。
【０００７】
本発明の放熱装置は、撮影用の照明光を発する照明装置（２０）の光放射部の放熱を行う放熱装置（２）であって、送風機（１０）が収容される筐体（８）と、前記筐体（８）に設けられた吸気口（１８）と、前記筐体（８）に設けられ、前記光放射部の周囲の何れかの位置に配置され、前記光放射部に設けられる光学部材（２２）の外面に対して前記送風機（１０）から送風される空気を吹き出す吹出口（１９）とを備えることを特徴とする。
【０００８】
また、本発明の放熱ユニットは、本発明の放熱装置（２）と、前記照明装置（２０´）の前記光放射部に設けられた前記光学部材（２２´）の外面に形成され、前記吹出口（１９）から吹き出す前記空気の流れを乱す突起部（６６）とを備えることを特徴とする。
【０００９】
また、本発明の照明装置は、撮影用の照明光を発する照明装置（２０´）であって、本発明の放熱ユニット（６４）を備えることを特徴とする。
【発明の効果】
【００１０】
本発明の放熱装置及び放熱ユニットによれば、既製の照明装置に容易に取り付けることができ、かつ照明装置の光放射部の放熱を確実に行うことができる。また、本発明の照明装置によれば、放熱装置を容易に取り外すことができ、かつ光放射部の放熱を確実に行うことができる。
【図面の簡単な説明】
【００１１】
【図１】第１の実施の形態に係る放熱装置の外観を示す図である。
【図２】第１の実施の形態に係る放熱装置を構成する部品について説明するための図である。
【図３】第１の実施の形態に係る放熱装置及び照明装置の構成を示す図である。
【図４】第１の実施の形態に係る放熱装置及び照明装置の構成を示す図である。
【図５】第１の実施の形態に係る放熱装置の照明装置への取り付けについて説明するための図である。
【図６】第１の実施の形態に係る放熱装置の照明装置への取り付けについて説明するための図である。
【図７】第１の実施の形態に係る放熱装置の照明装置への他の取り付けについて説明するための図である。
【図８】第１の実施の形態に係る放熱装置の照明装置への他の取り付けについて説明するための図である。
【図９】第２の実施の形態に係る放熱装置及び照明装置の構成を示す図である。
【図１０】第２の実施の形態に係る放熱装置及び照明装置の構成を示す図である。
【図１１】第３の実施の形態に係る放熱装置及び照明装置の構成を示す図である。
【図１２】第３の実施の形態に係る放熱装置のシステム構成を示すブロック図である。
【図１３】第３の実施の形態に係る放熱装置の動作を説明するためのフローチャートである。
【図１４】第４の実施の形態に係る放熱ユニットの構成を示す図である。
【図１５】他の突起部の構成を示す図である。
【図１６】他の突起部の構成を示す図である。
【発明を実施するための形態】
【００１２】
以下、図面を参照して、本発明の第１の実施の形態に係る放熱装置について説明する。図１は放熱装置２の外観を示す図、図２は放熱装置２を構成する部品について説明するための図である。放熱装置２は、被写体を照明する照明装置などに取り付けて使用され、照明装置などの放熱を行う。図１及び図２に示すように、放熱装置２は、羽根車１０、羽根車１０が収容される筐体８及び電池蓋１４を備えており、筐体８は、吸気口１８が設けられている吸気口側筐体８ａ、及び吹出口１９が設けられている吹出口側筐体８ｂにより構成されている。吸気口側筐体８ａには、その中央部に円形状の開口を有する吸気口１８が設けられており、吹出口側筐体８ｂには、電池室４、モーター６、複数の静翼７、及び一方の端部に沿ってスリット状の開口を有する吹出口１９が設けられている。放熱装置２に対して電力供給を行う電池１６は電池室４に収容され、電池蓋１４は電池室４の電池取出口の開閉を行う。
【００１３】
放熱装置２は、電池室４の電池取出口を電池蓋１４により閉塞し、吹出口側筐体８ｂのモーター６上に羽根車１０を装着後、吹出口側筐体８ｂに吸気側筐体８ａを被せることにより組み立てられる。放熱装置２においては、羽根車１０が回転することにより、吸気口１８を介して筐体８内に空気が吸い込まれ、筐体８内から吹出口１９を介して後述する照明装置２０のフレネルパネル２２に対して空気を吹き出す。
【００１４】
図３は放熱装置２が照明装置２０に対して装着された状態を上方から見た斜視図、図４は下方から見た斜視図である。図３及び図４に示すように、照明装置２０は本体部２４及び頭部２６を備えており、頭部２６は本体部２４に対して上下方向及び左右方向へ回動可能に構成されている。頭部２６内には閃光を発するためのキセノン管等により構成される閃光部（図示せず）が設けられており、頭部２６の前面開口部にはフレネルパネル２２が取り付けられている。
【００１５】
放熱装置２は、吹出口１９を閉塞しないように、吹出口側筐体８ａの外面と頭部２６の下面とを当接させて照明装置２０に取り付けられている。放熱装置２の照明装置２０への取付けは、例えば図５及び図６に示すように、ねじ３０ａ〜３０ｄを用いて行なわれる。この場合には、図６に示すように、照明装置２０の頭部２６の下面にねじ穴３２ａ〜３２ｄを形成し、筐体８を貫通する貫通穴３４ａ〜３４ｄを設ける。そして、ねじ３０ａを貫通穴３４ａ及びねじ穴３２ａに挿入し、同様にねじ３０ｂ〜３０ｄを貫通穴３４ｂ〜３４ｄ及びねじ穴３２ｂ〜２３ｄにそれぞれ挿入し、ねじ３０ａ〜３０ｄをねじ穴３２ａ〜２３ｄに締め付け、照明装置２０に放熱装置２を固定する。
【００１６】
また、図７及び図８に示すように、弾性部材を用いて放熱装置２を照明装置２０に取り付けることができる。この場合には、図８に示すように、照明装置２０の頭部２６の両側面に係止凹部３６ａ（左側面の係止凹部は図示せず、以下、係止凹部３６ｂという）を形成し、放熱装置２の筐体８の両側面に弾性部材により形成される係止腕３８ａ，３８ｂを設ける。係止腕３８ａの内側先端部には係止凹部３６ａに対応する係止凸部４０ａ、同様に係止腕３８ｂの内側先端部には係止凹部３６ｂに対応する係止凸部４０ｂが設けられている。係止凸部４０ａ，４０ｂを照明装置２０の係止凹部３６ａ，３６ｂにそれぞれ係止させ、照明装置２０に放熱装置２を固定する。
【００１７】
放熱装置２においては、照明装置２０に取り付けられた状態で放熱装置２の電源をオンすると、羽根車１０が回転し始めることにより、吸気口１８を介して筐体８内に空気が吸い込まれ、筐体８内から吹出口１９を介して空気が吹き出され、照明装置２０のフレネルパネル２２の外面に空気が当たり、フレネルパネル２２の温度が低下する。
【００１８】
照明装置２０の頭部２６内に設けられている閃光部から発せられた光はフレネルパネル２２を介して放射されるため、閃光部から光が発せられるとフレネルパネル２２の温度が上昇する。したがって、照明装置２０を連続発光させた場合等、フレネルパネル２２の温度が上昇し続けたとき、フレネルパネル２２が変形または溶解するおそれがある。フレネルパネル２２の変形または溶解は照明装置２０の性能に悪影響を与えるため、照明装置２０を連続使用するユーザーはフレネルパネル２２の放熱を確実に行う必要がある。第１の実施の形態に係る放熱装置２によれば、既製の照明装置２０に容易に取り付けることができ、かつ照明装置２０のフレネルパネル２２の放熱を確実に行うことができる。
【００１９】
次に、本発明の第２の実施の形態に係る放熱装置について説明する。図９及び図１０は、第２の実施の形態に係る放熱装置５０及び照明装置２０の構成を示す図である。なお、第２の実施の形態に係る放熱装置５０及び照明装置２０においては、第１の実施の形態に係る放熱装置２及び照明装置２０の構成と同一の構成についての説明を省略し、同一の構成には同一の符号を用いて説明を行う。
【００２０】
図９及び図１０に示すように、放熱装置５０は、面ファスナーを用いて照明装置２０に取り付けられている。照明装置２０の頭部２６の右側面には面ファスナーの一方４２が設けられており、面ファスナーの一方４２に対応する面ファスナーの他方４４が放熱装置５０の筐体８´の一方の側面に設けられている。同様に、頭部２６の左側面には図示しない面ファスナーの一方が設けられており、面ファスナーの一方に対応する面ファスナーの他方（図示せず）が筐体８´の他方の側面に設けられている。放熱装置５０は、各面ファスナーの他方を対応する面ファスナーの一方にそれぞれ貼り合わせることにより照明装置２０に固定される。
【００２１】
また、放熱装置５０の筐体８´を構成する吹出口側筐体８ａ´には、照明装置２０に対する放熱装置５０の位置を固定するための位置決め部が設けられている。位置決め部は、吹出口側筐体８ａ´の吹出口１９の両端部に設けられた当接部５２により構成されている。放熱装置５０は、当接部５２の突出部分を照明装置２０の頭部２６の前面の縁部に対して当接させることにより、照明装置２０に対して所定の位置に固定される。ここで、所定の位置は、吹出口１９が頭部２６の下面により閉塞されず、かつフレネルパネル２２から放射される光の光路を遮蔽しない位置である。
【００２２】
また、当接部５２は、光の放射方向に向かって下方に傾斜した斜面を有している。当接部５２が斜面を有することにより、フレネルパネル２２から放射される光の光路を遮蔽することにより生じる光のケラレを防止することができる。
【００２３】
第２の実施の形態に係る放熱装置５０によれば、既製の照明装置２０にねじ穴や係止凹部を形成することもなく容易に取り付けることができ、かつ照明装置２０のフレネルパネル２２の放熱を確実に行うことができる。即ち、位置決め部としての当接部５２を備えているため、既製の照明装置２０に対して放熱装置５０を取り付けるための機構を形成する必要がなく、着脱容易な面ファスナーを取り付けるだけで照明装置２０に対して的確な位置に放熱装置５０を固定させることができる。
【００２４】
なお、第２の実施の形態においては、面ファスナーの一方を照明装置２０に、他方を放熱装置５０に設けているが、テープ状の長い面ファスナーを準備し、当接部５２を用いて照明装置２０に対する放熱装置５０の位置を固定し、照明装置２０の頭部２６と放熱装置５０とを一体とする周囲に面ファスナーを一周させて貼り付けることにより照明装置２０に放熱装置５０を固定させることもできる。
【００２５】
次に、本発明の第３の実施の形態に係る放熱装置について説明する。図１１は、第３の実施の形態に係る放熱装置５４及び照明装置２０の構成を示す図である。なお、第３の実施の形態に係る放熱装置５４及び照明装置２０においては、第１の実施の形態に係る放熱装置２及び照明装置２０の構成と同一の構成についての説明を省略し、同一の構成には同一の符号を用いて説明を行う。
【００２６】
図１１に示すように、放熱装置５４は、照明装置２０の温度を検出するための温度センサ５６を備えている。温度センサ５６は、吹出口側筐体８ａの外面に設けられ、照明装置２０の頭部２６の下面に接触しており、頭部２６の下面の温度を検出する。また、放熱装置５４は、吹出口１９の近傍に設けられ、照明装置２０のフレネルパネル２２から放射される光を検出する光センサ５８を備えている。
【００２７】
図１２は、放熱装置５４のシステム構成を示すブロック図である。図１２に示すように、放熱装置５４は、放熱装置５４の電源を制御する電源部６０、電源部６０の駆動等を制御する制御部６２を備えている。制御部６２には温度センサ５６及び光センサ５８が接続されており、温度センサ５６及び光センサ６８は各検出結果を制御部６２に対して出力する。
【００２８】
次に、図１３に示すフローチャートを参照して、放熱装置５４の動作について説明する。まず、制御部６２は、照明装置２０のフレネルパネル２２から光が射出した旨の検出信号を光センサ５８から取得した場合（ステップＳ１０：Ｙｅｓ）、電源部６０を介して放熱装置５４の電源をオンし、放熱装置５４を稼動させることにより照明装置２０の放熱を開始する（ステップＳ１１）。
【００２９】
次に、制御部６２は、所定時間が経過したか否かを判別する（ステップＳ１２）。所定時間は、予め設定されており、図示しない記憶部等に記憶されている。制御部６２は、所定時間が経過するまで放熱装置５４の稼動を継続させる。そして、所定時間が経過したとき（ステップＳ１２：Ｙｅｓ）、温度センサ５６から照明装置２０の温度を取得し、取得した温度が所定温度より高いか否かを判別する（ステップＳ１３）。所定温度は、予め設定されており、図示しない記憶部等に記憶されている。ステップＳ１３において所定温度より高いと判別されている間、制御部６２は、放熱装置５４の稼動を継続させる。そして、所定温度以下であると判別されたとき（ステップＳ１２：Ｎｏ）、制御部６２は、電源部６０を介して放熱装置５４の電源をオフし、放熱装置５４の稼動を停止させる（ステップＳ１４）。
【００３０】
第３の実施の形態に係る放熱装置５４によれば、温度センサ５６及び光センサ５８を備えているため、照明装置２０の放熱を行う必要がある場合のみ放熱装置５４を稼動させることができる。したがって、電力を無駄にすることなく、かつ照明装置２０の放熱を確実に行うことができる。
【００３１】
なお、第３の実施の形態に係る放熱装置５４においては、温度センサ５６及び光センサ５８を備えているが、温度センサ５６または光センサ５８の何れか一方を備えた構成にすることもできる。温度センサ５６のみを備えた放熱装置の場合、制御部６２は、所定の温度に達したときに放熱装置の電源をオンし、所定の温度または更に低い温度にまで下がったときに放熱装置の電源をオフする。また、光センサ５８のみを備えた放熱装置の場合、制御部６２は、光が放射されている間または光が放射され始めてから所定時間の間は電源をオンし、光が放射されていない間または所定時間が経過した後は電源をオフする。
【００３２】
次に、本発明の第４の実施の形態に係る放熱ユニットについて説明する。図１４は、第４の実施の形態に係る放熱ユニット６４及び照明装置２０´の構成を示す図である。なお、第４の実施の形態に係る放熱ユニット６４においては、第１の実施の形態に係る放熱装置２及び照明装置２０の構成と同一の構成についての説明を省略し、同一の構成には同一の符号を用いて説明を行う。
【００３３】
放熱ユニット６４は、放熱装置２、及び吹出口１９から吹き出す空気の流れを乱す突起部６６により構成されている。突起部６６は、照明装置２０´の頭部２６の前面開口部に取り付けられているフレネルパネル２２´の外面に設けられており、フレネルパネル２２´の外面に対して吹出口１９から吹き出す空気の流れる方向と交差する方向に延び、フレネルパネル２２´の光学的機能に影響を与えないような突起を有している。吹出口１９から吹き出した空気は、図中矢印方向に流れ、突起部６６に当たった空気は、突起部６６によりその流れを乱され、様々な方向に流れる。
【００３４】
第４の実施の形態に係る放熱ユニット６４によれば、突起部６６を備えているため、吹出口１９から吹き出す空気の流れを乱すことができ、様々な方向に流れる空気をフレネルパネル２２´の外面に当てることができる。したがって、効率よく放熱を行うことができる。
【００３５】
なお、第４の実施の形態に係る放熱ユニット６４においては、１つの突起部６６を備えているが、２つ以上の突起部を備えて構成することもできる。また、図１５に示すような矩形状を有するフレネルパネル２２´の交差する２辺に対して斜め方向に延びる少なくとも１つの突起部６７、またはフレネルパネル２２´の交差する２辺に対してそれぞれ略平行に延びる２つの突起部６８ａ，６８ｂを備えて構成することもできる。これらの場合には、吹出口が頭部２６の上部または側部に設けられ、吹出口から吹き出す空気がフレネルパネル２２´の上部または側部から流れてきた場合にもその流れを乱すことができる。
【００３６】
また、上述の各実施の形態においては、放熱装置を照明装置の頭部２６の下面に取り付けているが、照明装置の頭部２６の上面または側面に取り付けることもできる。また、例えば２つの放熱装置を照明装置の頭部２６の上面と下面に取り付けるなど、２つ〜４つの放熱装置を上下面または両側面に取り付けることもできる。
【００３７】
また、上述の各実施の形態においては、照明装置に対して着脱可能に構成されている放熱装置について説明しているが、照明装置に対して一体に構成されている放熱装置についても本発明を適用することができる。
【００３８】
また、上述の各実施の形態においては、キセノン管等により構成される閃光部を備えた照明装置に放熱装置を取り付けているが、例えばＬＥＤ等の固体光源を多数備えた照明装置に本発明の放熱装置を取り付けることもできる。
【符号の説明】
【００３９】
２，５０，５４…放熱装置、４…電池室、６…モーター、７…静翼、８…筐体、８ａ…吹出口側筐体、８ｂ…吸気口側筐体、１０…羽根車、１４…電池蓋、１６…電池、１８…吸気口、１９…吹出口、２０，２０´…照明装置、２２，２２´…フレネルパネル、２４…本体部、２６…頭部、３０ａ〜３０ｄ…ねじ、３２ａ〜３２ｄ…ねじ穴，３４ａ〜３４ｄ…貫通穴、３８ａ，３８ｂ…係止腕、５２…当接部、５６…温度センサ、５８…光センサ、６０…電源部、６２…制御部、６４…放熱ユニット、６６…突起部。
【図１】
2010186640.tif 000003
【図２】
2010186640.tif 000004
【図３】
2010186640.tif 000005
【図４】
2010186640.tif 000006
【図５】
2010186640.tif 000007
【図６】
2010186640.tif 000008
【図７】
2010186640.tif 000009
【図８】
2010186640.tif 000010
【図９】
2010186640.tif 000011
【図１０】
2010186640.tif 000012
【図１１】
2010186640.tif 000013
【図１２】
2010186640.tif 000014
【図１３】
2010186640.tif 000015
【図１４】
2010186640.tif 000016
【図１５】
2010186640.tif 000017
【図１６】
2010186640.tif 000018